(57)【要約】【課題】上下のハゼ部の向きにずれがあっても上下の折板屋根同士を固定することができる折板屋根用支持金具を提供する。【解決手段】下の折板屋根５１Ａ上に間隔を置いて上の折板屋根５１を固定する折板屋根用支持金具１において、一対の挟持部材２，２を備え、一対の挟持部材２，２の下部に、下の折板屋根５１Ａの上面部５５，６５に固定する固定部４７，４７を設け、一対の挟持部材２，２の上部間に、上の折板屋根５１のハゼ部６８を固定する吊子５を配置し、一対の挟持部材２，２の間に吊子５を挟着する締付手段たる中央ボルト６及び中央ナット６Ｎを備え、吊子５を傾動可能に設けたから、吊子５の傾きを調整でき、上のハゼ部６８への吊子５の係合作業を容易に行うことができる。【選択図】図１０
2018168559.tif 000002
【特許請求の範囲】
【請求項１】
下の折板屋根上に間隔を置いて上の折板屋根を固定する折板屋根用支持金具において、一対の挟持部材を備え、前記一対の挟持部材の下部に、下の折板屋根の山部に固定する固定部を設け、前記一対の挟持部材の上部間に、上の折板屋根のハゼ部を固定する吊子を配置し、前記一対の挟持部材の間に前記吊子を挟持する締付手段を備え、前記吊子を傾動可能に設けたことを特徴とする折板屋根用支持金具。
【請求項２】
前記一対の挟持部材の上部間に断熱部を有する中間挟持体を設け、この中間挟持体に前記吊子の下部を挿入する挿入溝を設け、この挿入溝に前記吊子を挿入した状態で、前記締付手段により前記挿入溝に前記吊子を挟持することを特徴とする請求項１記載の折板屋根用支持金具。
【請求項３】
前記締付手段は、中央ボルトと中央ナット及び側部ボルトと側部ナットを備え、前記一対の挟持部材，前記中間挟持体及び前記吊子の中央側に中央透孔を穿設し、これら中央透孔に前記中央ボルトを挿通し、この中央ボルトに前記中央ナットを螺合し、前記中央透孔の横方向両側で前記一対の挟持部材，前記中間挟持体及び前記吊子に側部透孔を穿設し、これら側部透孔に前記側部ボルトを挿通し、この側部ボルトに前記側部ナットを螺合し、前記一対の挟持部材，前記中間挟持体及び前記吊子のいずれかの前記側部透孔が上下方向に長く形成されていることを特徴とする請求項２記載の折板屋根用支持金具。
【発明の詳細な説明】
【技術分野】
【０００１】
本発明は、折板屋根を二重に葺く場合において、下の折板屋根に固定され、上の折板屋根を支持する折板屋根用支持金具に関する。
【背景技術】
【０００２】
従来、この種の支持金具として、下の折板屋根上に断熱材を敷設し、この下の折板屋根上に上の断熱材取付折板を二重状態に被覆固定した支持金具であって、断熱材で成形した一対の挟着部材を挟着面を合わせて締付部材により連結し、この挟着部材に吊子の下部を固定し、吊子の上部を上の断熱材取付折板の折板重合連結突出部と係合し、前記挟着部材の下部により下の折板重合連結突出部を挟着する支持金具がある（例えば特許文献１）。
【０００３】
上記支持金具では、折板屋根が長尺になると、折板重合連結突出部（ハゼ部）が一直線状にならず、上下のハゼ部で角度が異なる部分が発生する場合がある。このため複数の支持金具により上下の折板屋根を固定すると、吊子を上のハゼ部にうまく係合できなくなる場合がある。
【０００４】
また、上記支持金具では、一対の挟着部材を断熱材で成形することにより、支持金具において上下の折板屋根を断熱することができるが、吊子の両側に２つの断熱材を配置するため、部品点数が増え、現場施工が煩雑になる面がある。
【０００５】
さらに、一対の挟着部材同士を固定するため、締付部材としてボルトナットを使用しており、締付の際には、一方の挟着部材の外面に位置するナットを回り止めのために押さえた状態で、他方の挟着部材の外面に位置するボルトの頭部を回すため、支持金具の両面側から同時に作業を行わなければならず、特に、一方の折板屋根材を被せた後では、支持金具の一方側のボルト又はナットを押えることができず、作業が煩雑となる。
【先行技術文献】
【特許文献】
【０００６】
【特許文献１】実開平４−３９２１８号公報
【発明の開示】
【発明が解決しようとする課題】
【０００７】
そこで、本発明は、上記問題点を解決するものであり、吊子を傾動自在に設けることにより上下のハゼ部の向きにずれがあっても上下の折板屋根同士を固定することができる折板屋根用支持金具を提供することを目的とする。
【課題を解決するための手段】
【０００８】
請求項１の発明は、下の折板屋根上に間隔を置いて上の折板屋根を固定する折板屋根用支持金具において、一対の挟持部材を備え、前記一対の挟持部材の下部に、下の折板屋根の山部に固定する固定部を設け、前記一対の挟持部材の上部間に、上の折板屋根のハゼ部を固定する吊子を配置し、前記一対の挟持部材の間に前記吊子を挟持する締付手段を備え、前記吊子を傾動可能に設けたことを特徴とする。
【０００９】
請求項２の発明は、前記一対の挟持部材の上部間に断熱部を有する中間挟持体を設け、この中間挟持体に前記吊子の下部を挿入する挿入溝を設け、この挿入溝に前記吊子を挿入した状態で、前記締付手段により前記挿入溝に前記吊子を挟持することを特徴とする。
【００１０】
請求項３の発明は、前記締付手段は、中央ボルトと中央ナット及び側部ボルトと側部ナットを備え、前記一対の挟持部材，前記中間挟持体及び前記吊子の中央側に中央透孔を穿設し、これら中央透孔に前記中央ボルトを挿通し、この中央ボルトに前記中央ナットを螺合し、前記中央透孔の横方向両側で前記一対の挟持部材，前記中間挟持体及び前記吊子に側部透孔を穿設し、これら側部透孔に前記側部ボルトを挿通し、この側部ボルトに前記側部ナットを螺合し、前記一対の挟持部材，前記中間挟持体及び前記吊子のいずれかの前記側部透孔が上下方向に長く形成されていることを特徴とする。
【発明の効果】
【００１１】
請求項１の構成によれば、吊子が傾動することにより、吊子の傾きを調整でき、上のハゼ部への吊子の係合作業を容易に行うことができる。
【００１２】
請求項２の構成によれば、中間挟持体の断熱部により、支持金具において上下の折板屋根間の断熱を行うことができる。
【００１３】
請求項３の構成によれば、中央透孔の両側に位置する側部透孔が上下方向に長く形成されているため、中央透孔の中央ボルトを中心として、側部ボルトが側部透孔内において上下動することにより、吊子を傾動することができ、また、中央ボルトと両側の側部ボルトの３本により確実に吊子を固定することができる。
【図面の簡単な説明】
【００１４】
【図１】本発明の実施例１を示す左右一側の斜視図である。
【図２】同上、左右他側の斜視図である。
【図３】同上、断面図である。
【図４】同上、吊子の側面図である。
【図５】同上、挟持金具を示し図５（Ａ）は側面図、図５（Ｂ）は正面図である。
【図６】同上、挟持部材の側面図である。
【図７】同上、中間挟持体の平面図である。
【図８】同上、挟持金具を取付けた吊子の側面図である。
【図９】同上、支持金具の底面図である。
【図１０】同上、屋根構造の断面図である。
【図１１】同上、折板屋根材の断面図である。
【図１２】本発明の実施例２を示す断面図である。
【図１３】本発明の実施例３を示す挟持金具を取付けた吊子の側面図である。
【図１４】本発明の実施例４を示す左右一側の斜視図である。
【発明を実施するための形態】
【００１５】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な折板屋根用支持金具を採用することにより、従来にない折板屋根用支持金具が得られ、その折板屋根用支持金具について記述する。
【実施例１】
【００１６】
以下、本発明の実施例を添付図面を参照して説明する。図１〜図１１は本発明の実施例１を示す。同図に示すように、折板屋根用支持金具１は、金属製からなる左右一対の挟持部材２，２と、これら挟持部材２，２により挟持される合成樹脂製の中間挟持体３と、この中間挟持体３に挟持される吊子５と、この吊子５と挟持体３との間に配置する挟持金具４とを備える。
【００１７】
前記吊子５は、金属板材を屈曲形成してなり、横方向の底縁部１１の両側に下側傾斜縁部１２，１２を設け、両側の下側傾斜縁部１２，１２の間隔は上側に向かって拡大し、それら下側傾斜縁部１２，１２の上端から上側に向かって上側傾斜縁部１３，１３を形成し、横方向両側の上側傾斜縁部１３，１３の間隔は上側に向かって拡大し、上部の両縁部は縦方向で相互に平行に形成されている。尚、上側傾斜縁部１３は下側傾斜縁部１２に比べて水平に対する角度が大きく形成されている。また、前記吊子５の上縁側を左右一側方向に屈曲してハゼ部用の係止部１４を形成している。
【００１８】
前記吊子５の下部側の中央には、中央透孔１５が穿設され、この中央透孔１５は上下方向に僅かに長い長孔に形成され、締付手段たる中央ボルト６が挿通され、この中央ボルト６の先端にワッシャ６Ｗを介して中央ナット６Ｎが螺合される。また、前記中央透孔１５の横方向両側には該中央透孔１５より小径の側部透孔１６，１６がそれぞれ穿設され、これら側部透孔１６，１６には締付手段たる側部ボルト７，７が挿通され、側部ボルト７の先端にワッシャ７Ｗを介して側部ナット７Ｎが螺合される。尚、前記側部ボルト７に比べて前記中央ボルト６は径大で引張強度の高いものが用いられる。また、中央透孔１５の横寸法は側部透孔１６の直径より大きい。
【００１９】
金属製の前記挟持金具４は前記吊子５の下部側を直接挟持するものであり、板状の左，右の挟持部２１，２１の下部を連結部２２により連結してなる。また、挟持金具４の底縁部１１Ａ及び下側傾斜縁部１２Ａ，１２Ａは前記吊子５の底縁部１１及び下側傾斜縁部１２，１２に対応する。尚、連結部２２は、折り曲げ部であって、前記底縁部１１Ａより短く形成されている。
【００２０】
前記挟持金具４の前記左右の挟持部２１，２１には、前記中央透孔１５及び前記両側の側部透孔１６，１６に対応して、中央透孔１５Ａ及び側部透孔１６Ａ，１６Ａが穿設され、これら透孔１５Ａ，１６Ａ，１６Ａは円形をなす。また、前記左右の挟持部２１，２１の内面間の隙間により挿入溝２３が構成され、この挿入溝２３の間隔は、底縁部１１Ａ側は前記吊子５の厚さより僅かに狭く、上部は吊子５の厚さより僅かに広い。従って、左右の挟持部２１，２１間に吊子５の下部を圧入し、中央透孔１５，１５Ａ及び側部透孔１６，１６Ａ同士を位置合わせして吊子５と挟持金具４とを一体に組み立てることができる。
【００２１】
前記中間挟持体３は、前記吊子５及び挟持部材２より熱伝導率の低い合成樹脂からなり、前記挟持部材２より肉厚で板状の左右の中間挟持部３１，３１と、これら左右の中間挟持部３１，３１の下部を連結する中間底部３２と、前記左右の中間挟持部３１，３１の上縁から左右に張り出した中間鍔部３３，３３とを一体に備え、前記左右の中間挟持部３１，３１の間には挿入溝３１Ａが設けられている。また、前記中間挟持体３は、前記挟持金具４の上部の横方向より幅広に形成されている。尚、この例では、熱伝導率の低い中間挟持体３全体が断熱部であり、この断熱部により挟持部材２と吊子５が直接接触することがなく、挟持部材２と吊子５と間の断熱性を確保している。
【００２２】
また、前記中間挟持体３の前記左右の中間挟持部３１，３１の外面中央には、円形の筒部３４，３４Ａが突設され、一方の筒部３４には前記中央ボルト６を挿通する中央透孔３５が穿設され、他方の筒部３４Ａには前記中央ボルト６を挿通する中央透孔３５Ａと、この中央透孔３５Ａの外側に連通して設けられ、中央ボルト６の六角頭部６Ｔを収納する係合孔たる六角孔３６とが形成されている。また、中間挟持部３１，３１には、前記筒部３４，３４Ａの両側に縦長の側部透孔１６Ｂ，１６Ｂが穿設され、この側部透孔１６Ｂは前記側部透孔１６より上下方向に長く形成されている。
【００２３】
前記左右の挟持部材２，２は、前記中間挟持体３の中間挟持部３１の外面側に沿う外側挟持部４１と、この外側挟持部４１の上縁から左右に張り出した外側鍔部４３とを有し、前記中間挟持部３１の外面には前記外側挟持部４１を収納する凹部３７が設けられると共に、前記中間鍔部３３の下面には前記外側鍔部４３を収納する下面凹部３８が形成されている。
【００２４】
また、前記挟持部材２，２の外側挟持部４１，４１の横方向中央には、前記筒部３４，３４Ａを挿通する中央透孔１５Ｃ，１５Ｃが穿設され、この中央透孔１５Ｃの両側には、前記側部透孔１６，１６に対応して縦方向に長い長孔である側部透孔１６Ｃ，１６Ｃが穿設され、この側部透孔１６Ｃは前記側部透孔１６より上下方向に長く形成されている。
【００２５】
前記外側挟持部４１の下部には段部４２が形成され、この段部４２の下部に突き合せ部４４を設け、取付状態で左右の挟持部材２，２の突き合せ部４４，４４の内面同士が突き合わされ、或いは近接する。前記突き合せ部４４は前記段部４２から下方に向かって幅広になるように両側の傾斜縁部４４Ｆ，４４Ｆが形成され、両側の傾斜縁部４４Ｆ，４４Ｆの下部側において挟持部材２は略一定幅を有する。
【００２６】
また、左右の前記突き合せ部４４，４４の中央に、下係入孔たる角孔４５，４５が穿設されている。そして、基端側に前記角孔４５に係入する断面角形の係入部８Ｋを有するボルト８を用い、このボルト８を前記角孔４５，４５に挿通し、ボルト８の頭部８Ｔ側の角孔４５に係入部８Ｋを係入することによりボルト８が回り止め状態となり、このボルト８にナット８Ｎが螺合される。尚、前記頭部８Ｔは皿状をなす。
【００２７】
前記突き合せ部４４の下部には、下の折板屋根５１のハゼ部６８を挟んで固定する固定部４７が設けられ、この固定部４７は略半円形をなし、下端に左右外側に向いた載置部４８が設けられ、前記載置部４８は先端側が僅かに低くなるように斜めに設けられ、取付状態で両載置部４８，４８の挟角は１７５度〜１５０度程度である。そして、前記固定部４７と載置部４８の内面の角部により、固定部４７の下挟持部４７Ａを構成している。
【００２８】
また、前記突き合せ部４４と前記固定部４７とに渡って縦方向のリブ部４９，４９が両側に設けられ、このリブ部４９は突き合せ部４４と固定部４７を内面側からプレス加工により断面湾曲状の凸条を形成してなる。さらに、前記載置部４８には透孔４８Ｔが穿設されており、この透孔４８Ｔにビス等を挿通し、載置部４８を山部などにそのビス等により固定することもできる。
【００２９】
さらに、図６などに示すように、前記下挟持部４７Ａには、左右に内面側に突出する凸部４７Ｂ，４７Ｃを設けており、これら凸部４７Ｂ，４７Ｃは外面側からのプレス加工により膨出形成され、一方の凸部４７Ｂを一方のリブ部４９の中心位置に配置し、他方の凸部４７Ｃを他方のリブ部４９の中心位置から横方向一側にずらすことにより、図９に示すように、左右の挟持部材２，２を合わせた状態で、凸部４７Ｂ，４７Ｃが隣り合うと共にずれて配置され、ハゼ部６８に凸部４７Ｂ，４７Ｃが部分的に圧接するため、確実な固定構造が得られ、また、左右の挟持部材２，２は同一構成のものを用いることができる。尚、挟持部材２は、凸部４７Ｂ，４７Ｃ以外は左右対称であり、挟持部材２は左右を気にせず組み立てることができる。
【００３０】
上下の折板屋根５１，５１Ａを構成する折板屋根材５２は、平面部５３の他端側を斜上方に折曲して他側傾斜部５４とし、この他側傾斜部５４の先端側を略横方向に伸長させて他側上面部５５とし、この他側上面部５５の先端側を垂直に折曲げて他側起立部５６とし、この他側起立部５６の上端を他側に水平に折曲げると共に先端を下側に折り返して下ハゼ部５７を形成している。
【００３１】
また、折板屋根材５２は、平面部５３の一端側を斜上方に折曲して一側傾斜部６４とし、この一側傾斜部６４の先端側を略横方向に伸長させて一側上面部６５とし、この一側上面部６５の先端側を垂直に折曲げて一側起立部６６とし、この一側起立部６６の上端側を水平に折曲げると共に、先端を下方に折り曲げて上ハゼ部６７を形成している。
【００３２】
下の折板屋根５１は、隣り合う折板屋根材５２，５２の一方の下ハゼ部５７と他方の上ハゼ部６７をハゼ折りしてハゼ部６８を形成している。また、上の折板屋根５１Ａは、前記隣り合う折板屋根材５２，５２の一方の下ハゼ部５７が吊子５の係止部１４に内側に嵌合し、他方の上ハゼ部６７が前記吊子５の係止部１４の外側に外嵌する。
【００３３】
そして、図１０に示すように、上下の折板屋根５１，５１Ａの間には、断熱材６９が設けられる。
【００３４】
また、Ｈ形鋼材などからなる屋根下地材（図示せず）に溶接等の固着手段により金属製のタイトフレーム（図示せず）が固定され、このタイトフレームに、下の折板屋根５１Ａが固定されている。
【００３５】
次に、前記構成につきその作用を説明する。下の折板屋根５１Ａのハゼ部６８を、左右両側の挟持部材２，２の固定部４７，４７により挟み、両側の挟持部材２，２同士を下側のボルト８及びナット８Ｎにより締め付け、ハゼ部６８に支持金具１を固定すると共に、載置部４８，４８を下の上面部５５，６５上に載置する。
【００３６】
また、中間挟持体３の筒部３４，３４Ａを両側の挟持部材２，２の中央透孔１５Ｃ，１５Ｃに挿入し、左右の外側挟持部４１，４１の間に、中間挟持体３を配置し、両側の中間挟持部３１，３１の間に挟持金具４と吊子５を挿入する。この後、中央透孔１５Ｃ，３５Ａ，１５Ｂ，１５，１５Ｂ，３５に中央ボルト６を挿通し、挿通した中央ボルト６の先端に中央ナット６Ｎを螺合して締め付ける。また、中央ボルト６の両側において、側部透孔１６Ｃ，１６Ｂ，１６Ａ，１６，１６Ａ，１６Ｂ，１６Ｃに側部ボルト７を挿通し、挿通した側部ボルト７の先端に側部ナット７Ｎを螺合して締め付ける。このように中央ボルト６と中央ナット６Ｎは左右の中間挟持部３１，３１を締め付け、側部ボルト７と側部ナット７Ｎは左右の挟持部材２，２を締め付ける。
【００３７】
この場合、ボルト６，７を緩めると、両側の側部ボルト７，７は長孔である側部透孔１６Ｂ，１６Ｃ，１６Ｂ，１６Ｃに挿通されているため、吊子５を傾動して角度を調整することができ、下の折板屋根５１Ａのハゼ部６８が一直線状に形成されていない場合でも、下のハゼ部６８に間隔を置いて複数の支持金具１，１・・・を取付け、複数の吊子５，５・・・の係止部１４，１４・・・が一直線状に並ぶように調整することができる。尚、締め付け方により、使用状態で吊子５を傾動可能に取り付けてもよい。
【００３８】
そして、下の折板屋根５１Ａ上に断熱材６９を重ね、この上から折板屋根材５２の上ハゼ部６７と下ハゼ部５７により、吊子５の係止部１４を挟みつけるようにハゼ折りして上の折板屋根５１のハゼ部６８を形成する。
【００３９】
上記の屋根構造では、上の折板屋根５１に接する吊子５は、その下部が断熱性の高い中間挟持体３に挟持金具４を介して接しているから、支持金具１において下の折板屋根５１Ａの熱が上の折板屋根５１に伝わることを抑制できる。
【００４０】
このように本実施例では、請求項１に対応して、下の折板屋根５１Ａ上に間隔を置いて上の折板屋根５１を固定する折板屋根用支持金具１において、一対の挟持部材２，２を備え、一対の挟持部材２，２の下部に、下の折板屋根５１Ａの山部たる上面部５５，６５に固定する固定部４７，４７を設け、前記一対の挟持部材２，２の上部間に、上の折板屋根５１のハゼ部６８を固定する吊子５を配置し、一対の挟持部材２，２の間に吊子５を挟着する締付手段たる中央ボルト６及び中央ナット６Ｎを備え、吊子５を傾動可能に設けたから、吊子５の傾きを調整でき、上のハゼ部６８への吊子５の係合作業を容易に行うことができる。
【００４１】
このように本実施例では、請求項２に対応して、一対の挟持部材２，２の上部間に断熱部を有する中間挟持体３を設け、この中間挟持体３に吊子５の下部を挿入する挿入溝２３を設け、この挿入溝２３に吊子５を挿入した状態で、挿入溝２３に吊子５を挟持する締付手段たる中央ボルト６及び中央ナット６Ｎにより挿入溝２３に吊子５を挟持するから、中間挟持体３の断熱部である中間挟持体３自体により、支持金具１において上下の折板屋根５１，５１Ａ間の断熱を行うことができる。
【００４２】
このように本実施例では、請求項３に対応して、締付手段は、中央ボルト６と中央ナット６Ｎ及び側部ボルト７と側部ナット７Ｎを備え、一対の挟持部材２，２，中間挟持体３及び吊子５の中央側に中央透孔１５Ｃ，３５，３５Ａ，１５を穿設し、これら中央透孔１５Ｃ，３５，３５Ａ，１５に中央ボルト６を挿通し、この中央ボルト６に中央ナット６Ｎを螺合し、中央透孔１５の横方向両側で一対の挟持部材２，２，中間挟持体３及び吊子５に側部透孔１６Ｃ，１６Ｂ，１６を穿設し、これら側部透孔１６Ｃ，１６Ｂ，１６に側部ボルト７を挿通し、この側部ボルト７に側部ナット７Ｎを螺合し、一対の挟持部材２，２，中間挟持体３及び吊子５のいずれかの側部透孔１６Ｃ，１６Ｂ，１６が上下方向に長く形成され、この例では側部透孔１６Ｃ，１６Ｂが上下方向に長く形成されているから、中央透孔１５の中央ボルト６を中心として、側部ボルト７，７が側部透孔１６Ｃ，１６Ｂ内において上下動することにより、吊子５を傾動することができ、また、中央ボルト６と両側の側部ボルト７，７の３本により確実に吊子５を固定することができる。
【００４３】
以下、実施例上の効果として、吊子５に３本のボルト６，７，７が挿通されて締付固定されるから、確実に吊子５を挟着することができる。また、挟持部材２，２の外側挟持部４１，４１の横方向中央には、筒部３４，３４Ａを挿通する中央透孔１５Ｃ，１５Ｃが穿設されているから、中間挟持体３に対する挟持部材２，２の位置合わせを容易に行うことができる。さらに、突き合せ部４４と固定部４７とに渡って縦方向のリブ部４９，４９が形成されているから、下ボルト８の締付により下挟持部４７Ａ，４７Ａ間にハゼ部６８を確実に挟持することができる。また、下挟持部４７Ａには、左右に内面側に突出する複数の凸部４７Ｂ，４７Ｃを設けたから、ハゼ部６８に凸部４７Ｂ，４７Ｃが部分的に圧接するため、確実な固定構造が得られる。
【００４４】
このように本実施例では、吊子５の下部を挟持する挟持金具４を備え、この挟持金具４は、吊子５より厚い一対の挟持部２１，２１の間に吊子５の下部を挿入する挿入溝２３を有し、一対の挟持部２１，２１には、中央ボルト６を挿通する中央透孔１５Ａと、側部ボルト７を挿通する側部透孔１６Ａが設けられ、吊子５を挟持した挟持金具４を中間挟持体３の挿入溝３１Ａに挿入したから、吊子５は折板屋根５１のハゼ部６８に係合する部分である係止部１４に対応して比較的薄いものを用いる必要があるが、一体に設けた一対の中間挟持部３１，３１間に比較的薄い吊子５を挟むことになるため、挟持金具４により挟んだ吊子５の下部を、一対の中間挟持部３１，３１間に配置することにより、吊子５を確実に挟着することができる。
【００４５】
このように本実施例では、一対の中間挟持部３１，３１の外面に、一対の挟持部材２，２の中央透孔１５Ｃ，１５Ｃに挿入する一対の筒部３４，３４Ａを設け、一対の筒部３４，３４Ａに中央透孔３５，３５Ａを設け、一対の筒部３４，３４Ａの一方である筒部３４Ａの中央透孔３５Ａの外部側には、中央ボルト６の頭部６Ｔが回り止め状態で係入する係入孔たる六角孔３６が設けられているから、中央ボルト６を一方の筒部３４Ａに挿通すると共に、該中央ボルト６の頭部６Ｔを筒部３４Ａの六角孔３６に係入することにより中央ボルト６が回り止めとなり、他方の筒部３４から出た中央ボルト６の先端にナット６Ｎを螺合する作業を支持金具１の他方側から作業することができる。
【００４６】
このように本実施例では、一対の挟持部材２，２の固定部４７，４７には、下の折板屋根５１Ａのハゼ部６８を挟持する下挟持部４７Ａ，４７Ａを設け、一対の挟持部材２，２の下部側を締め付ける下側締付手段を備え、この下側締付手段は下ボルト８及び下ナット８Ｎを備え、一対の筒部３４，３４Ａの一方側である筒部３４Ａ側の挟持部材２には、下ボルト８の係入部８Ｋが回り止め状態で係入する下係入孔たる角孔４５が設けられ、一対の筒部３４，３４の他方側の前記挟持部材には、前記下ボルトの先端側を挿通する下透孔たる角孔４５が穿設されているから、下ボルト８及び下ナット８Ｎにより一対の挟持部材２，２の下部側を締め付けることにより、下挟持部４７Ａ，４７Ａ間に下のハゼ部６８が挟持され、これにより支持金具１の下部を下の折板屋根５１Ａに固定することができ、しかも、支持金具１の一方側において、中央ボルト６の頭部６Ｔが六角孔３６に係入して回り止め状態であり、下ボルト８の係入部８Ｋが角孔４５に係入して回り止め状態であり、両ボルト６，８に対するナット６Ｎ，８Ｎの螺合作業を支持金具１の他方側から行うことができる。
【実施例２】
【００４７】
図１２は本発明の実施例２を示し、上記実施例１と同一部分に同一符号を付し、その説明を省略して詳述すると、この例では、挟持金具４を用いておらず、中間挟持体３の挿入溝３１Ａを狭く形成し、この挿入溝３１Ａに吊子５の下部を直接嵌入している。また、両側の側部透孔は形成されておらず、側部ボルト７は使用していない。
【００４８】
このように本実施例では、締付部材たる中央ボルト６とナット６Ｎのみにより中間挟持体３に吊子５を挟着し、中央ボルト６を緩めることにより吊子５の角度を調整することができ、上記実施例１と同様な作用・効果を奏し、また、挟持金具４が減った分だけ実施例１に比べて部品点数を削減することができ、厚い吊子５を使用する場合に適する。
【実施例３】
【００４９】
図１３は本発明の実施例３を示し、上記各実施例と同一部分に同一符号を付し、その説明を省略して詳述すると、この例では、側部透孔１６Ｃ，１６Ｂと同様に中央透孔１５，１５Ａを上下方向に長い長孔に形成している。
【００５０】
従って、中央透孔１５，１５Ａ及び側部透孔１６Ｃ，１６Ｂの高さ範囲内でボルト６，７の高さ位置を調整することにより、吊子５の高さを調整することができると共に、吊子５の向きを調整することができる。尚、中央透孔１５，１５Ａ及び側部透孔１６Ｃ，１６Ｂの高さＨ，ｈは、ボルト６，７が２本以上挿入することができる寸法にすることが高さ調整の面から好ましい。
【００５１】
このように本実施例では、吊子５を傾動して向きを調整することができ、上記実施例１と同様な作用・効果を奏し、さらに、傾動可能な吊子５の高さ調整も可能となる。
【実施例４】
【００５２】
図１４は本発明の実施例４を示し、上記各実施例と同一部分に同一符号を付し、その説明を省略して詳述すると、この例では、側部透孔１６，１６Ａ，１６Ｂ，１６Ｃを片側のみに設け、１本の中央ボルト６と１本の側部ボルト７を用いている。
【００５３】
このように本実施例では、吊子５を傾動して向きを調整することができ、上記各実施例と同様な作用・効果を奏し、また、部品点数を削減することができる。
【００５４】
尚、本発明は、本実施例に限定されるものではなく、本発明の要旨の範囲内で種々の変形実施が可能である。例えば、吊子は各種タイプのものを用いることができる。また、上，下ハゼ部及び吊子のハゼ部の形状は適宜可能である。さらに、実施例の固定部はハゼ部を挟着するものを例示したが、従来例（特許文献１）の第３図のように下の折板屋根及びタイトフレームにボルトなどで固定するものでもよい。また、吊子と挟持金具の側部透孔を長孔にし、他の側部透孔を円形の透孔にしてもよいなど、吊子が傾動できるように側部透孔を各部材に設ければよい。さらに、吊子を傾動可能にする回動機構は、請求項１及び２では各種タイプのものを用いることができる。
【符号の説明】
【００５５】
１  支持金具
２  挟持部材
３  中間挟持体（断熱部）
４  挟持金具
５  吊子
６  中央ボルト（締付手段）
６Ｎ  ナット（締付手段）
７  側部ボルト（締付手段）
７Ｎ  ナット（締付手段）
１４  係止部
１５，１５Ａ，１５Ｃ  中央透孔
１６，１６Ａ  側部透孔
１６Ｂ  側部透孔（長孔）
１６Ｃ  側部長孔（長孔）
３１  中間挟持部
３１Ａ  挿入溝
３５  中央透孔
３５Ａ  中央透孔
４１  外側挟持部（上部）
４７  固定部
５１  折板屋根
５１Ａ  折板屋根
５５  他側上面部（山部）
６５  一側上面部（山部）
６８  ハゼ部
【図１】
2018168559.tif 000003
【図２】
2018168559.tif 000004
【図３】
2018168559.tif 000005
【図４】
2018168559.tif 000006
【図５】
2018168559.tif 000007
【図６】
2018168559.tif 000008
【図７】
2018168559.tif 000009
【図８】
2018168559.tif 000010
【図９】
2018168559.tif 000011
【図１０】
2018168559.tif 000012
【図１１】
2018168559.tif 000013
【図１２】
2018168559.tif 000014
【図１３】
2018168559.tif 000015
【図１４】
2018168559.tif 000016